(57)【要約】【課題】  多方向から視認可能なメーターを有する調律器を提供する。【解決手段】  マイク１１から入力した楽音の音高とその音高の基準音とから偏差を求め、Ｌ字状の指針である指針７，８と正面目盛盤４と側面目盛盤３と目盛５，６を用い、指針を駆動して求めた偏差を表示する。  Ｌ字状の指針は曲げ部をほぼ直角にし、正面から見た場合と上方から見た場合に見やすくし、指針の曲げ部に沿って目盛線を配置して指針と目盛線の位置関係をわかりやすくした。【選択図】  図１
2006220720.tif 000002
【特許請求の範囲】
【請求項１】
入力した楽音の音高に関する前記音高の基準音からの偏差を表示する調律器において、
前記偏差を表示するための曲げ部を有する指針と、
前記指針の曲げ部に対応した目盛盤と、
を有する調律器。
【請求項２】
前記指針の曲げ部に対応した目盛盤の位置に目盛を表示したことを特徴とする請求項１記載の調律器。
【請求項３】
前記指針は少なくとも２箇所の曲げ部を有し、前記曲げ部間に対応した前記目盛盤の位置に目盛を表示したことを特徴とする請求項１記載の調律器。
【請求項４】
前記指針は前記目盛盤の側面に沿った形状であり、前記目盛盤の側面に目盛を表示したことを特徴とする請求項１から3いずれかに記載の調律器。
【請求項５】
前記指針を固定し、前記目盛盤を駆動することを特徴とする請求項１から４のいずれか記載の調律器。
【請求項６】
前記指針はＬ字型であることを特徴とする請求項１から４のいずれか記載の調律器。
【請求項７】
前記指針はＵ字型であることを特徴とする請求項１から４のいずれか記載の調律器。
【請求項８】
前記目盛は目盛線と目盛数値で構成されていることを特徴とする請求項２から４のいずれか記載の調律器。
【請求項９】
前記指針と前記目盛は前記調律器の上方および正面から視認可能であることを特徴とする請求項２から請求項８いずれかに記載の調律器。
【発明の詳細な説明】
【技術分野】
【０００１】
本発明は、調律器に関する。
【背景技術】
【０００２】
従来より、楽器の音や音楽信号などの楽音と基準となる基準周波数との偏差を測定し、その偏差を表示する表示手段を備えた調律器が知られている。この調律器の表示手段には、指針部と目盛部で構成されたメーターで構成されたものが開示されている（例えば、特許文献１参照。）。
【特許文献１】特開２００４−１０９１７３号公報
【発明の開示】
【発明が解決しようとする課題】
【０００３】
楽器の演奏中などは調律器を置く場所が制限される場合があり、見る角度により調律器の表示が見にくかったり、見えなかったりするときがあるので、なるべく広い範囲から指針と目盛を認識できるものが望まれている。
【０００４】
従来の調律器の表示手段は、直線状の指針を用いた指針部と平面状の板に記号や文字や線を記した目盛部で構成されているので、調律器を正面から見た場合は指針と目盛の認識が可能であるが、上から見たときに指針と目盛を認識することが困難になるという問題を有していた。
【０００５】
また、調律器を立て置く場合と横に寝かせた場合とでは、指針の自重によるモーメントの違いなどの影響により指針の動きが変わることがあるので、調律しづらくなるという問題もあった。
【課題を解決するための手段】
【０００６】
本発明は、楽音の音高を電気信号に変換する変換手段と、電気信号となった音高とその音高の基準音とから偏差を演算する演算手段と、演算した偏差を表示するための指針を駆動する指針駆動部と、曲げ部のある指針と指針の曲げ部に対応した目盛盤と目盛を有し、演算した偏差を指針を用いて表示する。
【０００７】
また、指針は少なくとも２箇所の曲げ部を有し、曲げ部間に対応した目盛盤の位置に目盛を表示し、指針を目盛盤の形状に対応した形状に構成し、目盛盤の側面に目盛を表示することもできる。
【０００８】
また、指針の曲げ部を複数設けたり、指針の曲げ部を曲線状にすることもできる。
【０００９】
また、指針を固定して目盛盤を駆動して偏差の表示することもできる。
【発明の効果】
【００１０】
本発明の調律器は、従来の調律器にくらべ指針と目盛の視認可能な範囲が広がり、上や後ろや横からでも指針と目盛を確認できる。また調律器の置き方を変えなくとも、上から調律器を見て調律できるので、置き方による指針の動き方が変わることもなくなるので調律しやすい。調律器を置く場所が制限された場合でも指針と目盛の視認可能な範囲が広いので従来の調律器よりも使いやすい。また、指針の曲げ部に沿って目盛線を配置しているので指針と目盛線の相対的な位置関係がわかりやすい表示となっている。また、指針を曲げてもその指針に対応して指針の形状に対応して、指針の形状に沿った目盛盤や、目盛線や目盛数字などの目盛や、色彩などを構成することで視認範囲を広げられ、また、見やすいメーターとすることができる。指針の形状も直線状や曲線状にすることで形状にあった方向からの視認性の向上につながる。
【発明を実施するための最良の形態】
【００１１】
以下に本発明の実施の形態を図面に基づいて説明する。構成上で同様のものは同じ符号を用いて説明する。
【００１２】
図１は本発明の第一の実施の形態である調律器の外観の斜視図である。ケース１は外装ケースで、電子回路基板や電池などの調律器の構成部品などを内部に配置し保護している。風防ケース２は透明なプラスチック製で内部が透けて見えるケースであり、指針や目盛盤などを保護する。風防ケース２は透明なガラス製でもよい。また図中点線で示したものは、ケース内部に配置してあり外からは見えないものを示している。指針駆動部４４は電磁力により指針を駆動するための装置である。コイルに流れる電流量に応じて指針の移動量がきまるモーターを使い、このモーターのコイルに流れる電流を制御すことにより指針を所定の振れ角度で表示する。例えば可動コイル型のモーターなどを用いる。マイク１１は音を電気信号に変換して、この電気信号を電子回路１０へ出力する。入力ジャック４５は外部機器からの電気信号を電子回路１０へ伝えるために外部機器との接続用のコネクタである。外部機器からの電気信号は入力ジャック４５を介して電子回路１０へ伝えられる。電子回路１０はマイク１１または入力ジャック４５から楽音の電気信号を入力し、その入力した電気信号から楽音の音高の周波数を測定し、基準信号の周波数と比較して偏差を演算し、指針駆動部４４へ指針を偏差分駆動するための信号を出力する。電子回路１０から指針駆動部４４へ指針駆動の制御のための信号を出力し、コイルに流れる電流量を制御することで指針の振れ方を制御する。正面目盛盤４は正面から目盛を見るときの円弧状の目盛盤で、表面に線や数字や文字や記号や配色などによる目盛を印刷してある。目盛間の幅が指針の先端部ほど大きくなるので、端部に目盛を表示することで認識し易くなる。側面目盛盤３は横や上から見るときの目盛を表示し、正面目盛盤４の円弧状の弧に沿った円盤の側面を用いている。各目盛盤の正面目盛５と側面目盛６は接して表示されている。正面目盛５と側面目盛６を接するかあるいは近接させるとで目盛のズレをなくし見やすくした。調律器を斜め上方から見たときに、曲げ部を持つ指針に対して目盛盤あるいは目盛が重なるように対応させて配置することで、指針が示す目盛がどの目盛なのかを認識しやすした。指針は直線状の指針をＬ字状に曲げて、それぞれ正面指針７と側面指針８としている。指針の曲げ角度と目盛盤の曲げ角度とを同じくすることで指針と目盛の間隔が一定になるのでメータは見やすくなる。指針は指針駆動部４４の中心軸９に取り付けられているので、指針は中心軸９を中心に円弧状に可動する。正面目盛盤４はＬ字状の指針が自由に動作できるように円弧状にした。また、指針をＬ字状にすることで正面からはもとより、上方から指針と目盛を確認できる。風防ケース２により指針や目盛盤が保護されている。また、斜め上方から目盛が見やすいように、正面目盛５と側面目盛６を目盛盤の端部に配置し、さらに、目盛の線を連続させている。Ｌ字状の指針は曲げ部をほぼ直角にし、正面から見た場合と上方から見た場合に見やすくしている。指針の曲げ部が目盛線と対応して重なるように配置しているので指針と目盛線の相対的な位置関係がわかりやすい表示となっている。指針を曲げてもその指針に対応して、指針の形状に沿った形状の目盛盤や目盛を構成することで指針の動作を妨げることなく視認範囲を広げることができ、また、見やすいメーターとすることができる。
【００１３】
また、正面目盛盤４と側面目盛盤３を透明なプラスチックやガラスにすることで、背面からも指針と目盛を確認できるようすることが可能である。
【００１４】
図２は本発明の第一の実施の形態である調律器の外観の側面図である。また、点線で示したものはケース内部に配置してあり、外から見ることができないものを示している。側面目盛盤３に側面目盛６を配置している。上方または側面から側面指針８と側面目盛盤３を視認可能である。指針を曲げ部４７においてL字型に曲げて正面指針７と側面指針８として構成している。指針駆動部４４において中心軸９を回転中心とした位置に指針を配置し、指針の正面目盛盤４に平行な部分を正面指針７とし、指針の側面目盛盤３に平行な部分を側面指針８としている。正面目盛盤４あるいは側面目盛盤３と指針の間は隙間が形成されているので指針は中心軸９を中心として円弧状に動作できる。また、指針と目盛盤との間隔を均等にすることで、見る方向によるばらつきが少なくなるので見やすい。
【００１５】
図３は本発明の第二の実施の形態である調律器の外観の側面図である。斜め上方から調律器を見たときにさらに目盛と指針を見やすくするため目盛盤に斜面部を設けた調律器の側面図である。また図中点線で示したものは、ケース内部に配置してあり外からは見えないものを示している。正面指針１２は正面目盛盤１７に対し、斜面指針１３は斜面目盛盤１５に対し、側面指針１４は側面目盛盤１６に対し、それぞれ間隔を持って動作するように構成している。目盛盤と指針との間隔は一定の間隔であると位置による見え方の差が無いので望ましい。指針は正面指針１２に対して斜面指針１３を４５度の角度に曲げ、斜面指針１３に対して側面指針１４を４５度の角度に曲げ、曲げ部４７により多角状の指針を構成している。目盛盤も指針に合わせて斜面部がある構成となっている。目盛盤の斜面部である斜面目盛盤１５に目盛線１９と目盛数字２０とからなる目盛を印刷している。斜面目盛盤１５に目盛数字２０からなる目盛を印刷することで、正面と斜め上方と上方から目盛の数字と線を確認できるからである。目盛数字２０は数字や文字や記号や色彩で構成される。これにより、文字や数字や線などの目盛表示場所を１箇所とすることもできる。また、斜め上方から見やすい表示となる。斜面目盛線１９は円弧状に可動する指針に重なるように対応して放射状に印刷されている。斜面目盛線１９と斜面目盛数字２０は正面方向、斜め上方、上方から視認できる。目盛は目盛盤に一箇所でなく全面を利用してもよいし、表示の方法を印刷でなく板やシートなどを貼り付けてもよいし、目盛盤に一体形成してもよい。目盛盤を４５度の角度で斜面を作った例であるが、指針の曲げの角度や目盛盤の斜面部分の角度は４５度にはこだわらなくてよいし、複数の曲げ部を作ることも曲線や曲面状にすることも可能である。目盛数字を側面目盛盤や正面目盛盤上に配置することも可能である。そうすることで、正面や上方からも見やすくもできる。
【００１６】
図４は本発明の第三の実施の形態である調律器の外観の側面図である。後ろから調律器を見たときにさらに目盛と指針がみえるようにするために指針と目盛盤に曲面部を設けた調律器の側面図である。また図中点線で示したものは、ケース内部に配置してあり外からは見えないものを示している。指針は正面指針２１と背面指針２３と曲げ部であるＵ字型の側面指針２２から構成されている。指針が直線状の部分と曲線状の部分とからなっている。指針を全て曲線状にすることも可能である。指針を折り返すことで、背面からも指針を確認できる。指針の形状に沿って目盛盤を構成している。目盛は、目盛盤の側面部に側面部目盛２４を印刷することで、正面からも上面からも背面からも確認できる。目盛り線のほかに記号や数字や文字などを印刷して見やすい表示とすることもできる。目盛は色分けしてもよい。風防ケース側面部２５は指針の形状にそって曲面形状を構成している。指針を円弧状に、目盛盤と風防を球形状にそれぞれ構成するとで半球状の調律器とすることもできる。
【００１７】
図５は本発明の第四の実施の形態である調律器の外観の側面図である。また図中点線で示したものは、ケース内部に配置してあり外からは見えないものを示している。円盤状目盛盤２６は正面から見たときに円状である。側面目盛盤３１は曲面で構成している。円盤状目盛盤２６は筐体１を凹状の空間である凹状部３６を設け、その凹状部３６の凹部へ動作したときに円盤状目盛盤２６が接触しないように配置する。側面目盛盤３１に目盛線３０と目盛数字３５を表示してある。円盤状目盛盤２６は指針駆動部４４により軸２７を中心軸にして回転可能に駆動できる。この実施の形態では側面を曲面状に構成したが、直線状にも構成できる。例えば、正面と上面と背面から視認できるように、円盤状目盛盤２６を図１の正面目盛盤４と側面目盛盤３のような円柱状にすることもできる。また、円盤状目盛盤２６は正面目盛盤２８の端部を周辺方向にいくに従いに徐々に背面目盛盤２９方向に曲げ、背面目盛盤２９は端部を周辺方向にいくに従い徐々に正面目盛盤２８方向に曲げるようにすると、側面目盛盤３１の部分を直線状や多角形状や曲面状の斜面で構成することもできる。指針は正面目盛盤２８と背面目盛盤２９と側面目盛盤３１の形状に沿って基準指針３４を曲げて、筐体に固定している。
【００１８】
指針駆動部４４は電磁力により指針を駆動するための装置である。コイルに流れる電流を制御して中心軸２７を中心にして円盤状目盛盤２６を回転可能に動作させる。図１で示した指針の代わりに円盤状目盛盤２６を駆動する。マイク１１は音を電気信号に変換して電気信号を電子回路１０へ出力する。入力ジャック４５は外部機器からの電気信号を電子回路１０へ伝えるために、外部機器との接続用のコネクタである。外部機器からの電気信号は入力ジャック４５を介して電子回路１０へ伝えられる。電子回路１０はマイク１１または入力ジャック４５から楽音の電気信号を入力し、その入力した電気信号から楽音の音高の周波数を測定し、その音高の基準信号の周波数との偏差を演算し、指針駆動部４４へ円盤状目盛盤を偏差分駆動するための信号を出力する。電子回路１０から指針駆動部４４へ円盤状目盛盤２６の回転角度を制御する信号を出力し、指針駆動部４４へ流れる電流を制御することで円盤状目盛盤２６の振れ方を制御する。風防ケース２は透明のプラスチックまたはガラス製であり中が透けて見え、さらに指針や目盛盤などを保護する。基準指針３４は円盤状目盛盤２６の形状に沿って円弧状の曲げ部であるＵ字型部３２を設け、さらに円盤状目盛盤２６の背面のケースまで達する。正面から見る場合は正面から指針が見えるように、上方から見る場合は指針が上方から見えるように、背面から見る場合は指針が背面から見えるようにすればよいので、風防ガラスに基準指針を設けることも可能である。指針のＵ字型部３２の形状に沿って風防ガラス２も曲面部３３を設けている。円盤状目盛盤２６を駆動したとき、目盛である目盛数字３５または目盛線３０と基準指針３４とから円盤状目盛盤２６の移動量がわかるので偏差の量を読み取ることができる。つまり、基準指針は固定され、円盤状目盛盤２６が動き、基準指針と円盤状目盛盤の目盛から周波数の偏差を読み取ることができる。側面に目盛を表示することで、前後及び上方からの目盛を見ることができる。目盛をいろいろな所へ表示しなくてすむ。もちろん、目盛を正面目盛盤２８や背面目盛盤２９へ配置してもよい。
【００１９】
図６は本発明の第四の実施の形態である調律器の外観の正面図である。正面から調律器を見たときでも、側面目盛盤３１に表示した目盛数字３５や目盛線３０などの目盛を確認できるので、円盤状目盛盤２６の移動量から偏差を読み取ることが可能である。
【００２０】
図７は本発明の実施の形態に用いる一例である第一の電子回路のブロック図である。点線部で囲ってある部分は他図で示している電子回路１０に相当する部分である。楽音入力手段３７は、楽音を入力して電気信号に変換する手段である。例えば、楽器の音を電気信号に変化するマイクロフォンや、楽器の振動を電気信号に変換する振動センサや、電気信号を直接入力するための入力ジャックなどの電気信号の入力端子などである。楽音入力手段３７で出力される電気信号はアナログ信号からデジタル信号に信号を変換するアナログデジタル変換回路であるＡ／Ｄ３８に入力される。Ａ／Ｄ３８は入力したアナログ信号をデジタル信号に変換してＣＰＵ３９に出力する。ＣＰＵ３９はＲＯＭ４０に記憶されているプログラムを実行し演算を行う。ＲＡＭ４１はデータの一時的な記憶や、プログラムの演算に用いたりする。ＣＰＵ３９は、入力された楽音のデジタル信号から音高の周波数を演算し、さらに演算した音高の周波数とその音高の基準周波数とから偏差を演算する。さらに求めた偏差はセント値に演算され、演算結果を基にメータを駆動するためのデジタル信号をメータ駆動回路４２へ出力する。例えば、楽器で出力した「ド」の音をマイクで電気信号に変換し、このマイクからの電気信号の周波数と「ド」の音の基準周波数との偏差を求め、そのセント値を演算するものである。メータ駆動回路４２では、入力されたデジタル信号をアナログ信号に変換してメータ部４３に出力する。メータ部４３はコイルと磁石と指針により構成される。コイルに流す電流の大きさにより指針の振れが変わるので、あらかじめコイルに流す電流値と指針の振れ角度の関係を求めておく。ＣＰＵ３９において求めた偏差に対応して動かしたい指針の振れ角度は分かるので、コイルに流す電流量と指針の振れ角度の関係に従ってメータ駆動回路４２に対してコイルに流す電流量に対応す出力を制御するためのデジタル信号を出力する。メータ駆動回路４２ではこのデジタル信号を入力して、この信号に対応する電流をコイルに流す。指針はコイルに流れた電流量に従い所定の振れ角度を示す。
【００２１】
指針の形状をＬ字型やＵ字型など、曲げ部分を作ることで、一方向のみならず多方向からも指針の動きを確認できる。また、あわせて目盛盤を指針の形状に沿った形状とし、多方向から目盛を確認できるような位置や大きさで表示することで多方向から指針の動きや変化量を確認できる調律器となる。また、指針の代わりに目盛盤を駆動して、偏差を表示できる。
【００２２】
図８は本発明の実施の形態に用いる一例である第二の電子回路のブロック図である。点線部で囲ってある部分は他図で示している電子回路１０に相当する部分である。マイク１１は音を電気信号に変換して波形整形回路３８へ出力する。入力ジャック４５は外部機器からの電気信号を電子回路１０へ伝えるための外部機器との接続用のコネクタである。外部機器からの電気信号は入力ジャック４５を介して電子回路１０の波形整形回路３８へ伝えられる。波形整形回路３８ではマイク１１と入力ジャック４５からとの電気信号の入力を選択的に切り替えて入力する。入力した電気信号から音高の周波数の信号を矩形波に変換し、その矩形波の1周期を測定することで音高の周波数を求める。音高の周波数は変換した矩形波の１周期中における既知の周波数のパルスのカウント数を基にＣＰＵ３９で演算することで求める。このような演算はＲＯＭ４０に記憶されているプログラムをＣＰＵ３９で実行することでおこなう。ＲＡＭ４１はデータの一時的な記憶や、プログラムの演算に用いる。ＣＰＵ３９ではさらに、求めた音高の周波数とその音高の基準音の基準周波数との偏差を演算する。さらに求めた偏差はセント値に演算され、演算結果を基にメータを駆動するためのデジタル信号をメータ駆動回路４２へ出力する。メータ駆動回路４２では、モーターなどの指針駆動部に流す電流を入力されたデジタル信号に従った値とするように指針駆動部４４への出力を制御する。指針駆動部４４はコイルと磁石とを有し、コイルに流れる電流量にしたがって電磁力により指針４６を駆動する。
【図面の簡単な説明】
【００２３】
【図１】本発明の第一の実施の形態である調律器の外観の斜視図である。
【図２】本発明の第一の実施の形態である調律器の外観の側面図である。
【図３】本発明の第二の実施の形態である調律器の外観の側面図である。
【図４】本発明の第三の実施の形態である調律器の外観の側面図である。
【図５】本発明の第四の実施の形態である調律器の外観の側面図である。
【図６】本発明の第四の実施の形態である調律器の外観の正面図である。
【図７】本発明の実施の形態に用いる一例である第一の電子回路のブロック図である。
【図８】本発明の実施の形態に用いる一例である第二の電子回路のブロック図である。
【符号の説明】
【００２４】
１  ケース
２  風防ケース
３  正面目盛盤
４  側面目盛盤
５  正面目盛
６  側面目盛
７  正面指針
８  側面指針
１０  電子回路
１１  マイク
１８，１９  目盛線
２０  目盛数字
２１，２２，２３  指針
２７  軸
４４  指針駆動部
【図１】
2006220720.tif 000003
【図２】
2006220720.tif 000004
【図３】
2006220720.tif 000005
【図４】
2006220720.tif 000006
【図５】
2006220720.tif 000007
【図６】
2006220720.tif 000008
【図７】
2006220720.tif 000009
【図８】
2006220720.tif 000010